(57)【要約】【課題】隔膜を保護し損傷を抑制できる電解槽を提供する。【解決手段】電解水素水を生成する電解槽は、電解室内に対向して配置された第１給電体３１及び第２給電体３２と、第１給電体３１と第２給電体３２との間に配された隔膜３３と、隔膜３３を第１給電体３１側及び第２給電体３２側から挟み込んで支持する膜支持体とを備える。第１給電体３１は、板状に形成された第１本体部と、一端部３６ａが第１本体部と電気的に接続され他端部３６ｂがケース５の外部に突出された第１給電部３６とを含む。第１給電部３６は、軸状に形成され、一端部３６ａから他端部３６ｂにわたって隔膜３３に沿ってのびる。膜支持体４は、隔膜３３と第１給電部３６との間に介在する第１膜保護部４３を有する。【選択図】図６
2018122213.tif 000002
【特許請求の範囲】
【請求項１】
電気分解される水が供給される電解室が形成された電解槽であって、
前記電解室を区画するためのケースと、
前記電解室内に対向して配置された互いに極性が異なる第１給電体及び第２給電体と、
前記第１給電体と前記第２給電体との間に配され、前記電解室を前記第１給電体側の第１極室と、前記第２給電体側の第２極室とに区分する隔膜と、
前記隔膜を前記第１給電体側及び前記第２給電体側から挟み込んで支持する膜支持体と、を備え、
前記第１給電体は、板状に形成され前記隔膜に沿って配された第１本体部と、一端部が前記第１本体部と電気的に接続され他端部が前記ケースの外部に突出された第１給電部とを含み、
前記第１給電部は、軸状に形成され、前記一端部から前記他端部にわたって前記隔膜に沿ってのび、前記一端部が前記第１本体部から該第１本体部の厚さ方向に突出し、
前記膜支持体は、前記隔膜と前記第１給電部との間に介在する第１膜保護部を有することを特徴とする電解槽。
【請求項２】
前記第１膜保護部は、前記第１給電部に沿ってのびる請求項１記載の電解槽。
【請求項３】
前記第１膜保護部には、前記第１給電部に沿う第１溝が形成され、
前記水が、前記第１溝内を前記第１給電部の軸心方向に垂直な周方向に沿って流通可能である請求項１又は２に記載の電解槽。
【請求項４】
前記膜支持体は、前記第１給電部に沿ってのびる複数の第１桟と、前記第１桟に直交する複数の第２桟とを含む格子状に形成され、
前記第１膜保護部は、いずれかの前記第１桟と一体に形成されている請求項１乃至３のいずれかに記載の電解槽。
【請求項５】
前記第２給電体は、板状に形成され前記隔膜に沿って配された第２本体部と、一端部が前記第２本体部と電気的に接続され他端部が前記ケースの外部に突出された第２給電部とを含み、
前記第２給電部は、軸状に形成され、前記一端部から前記他端部にわたって前記隔膜に沿ってのび、前記一端部が前記第２本体部から該第２本体部の厚さ方向に突出し、
前記膜支持体は、前記隔膜と前記第２給電部との間に介在する第２膜保護部を有する請求項１乃至４のいずれかに記載の電解槽。
【請求項６】
前記第１給電部と前記第２給電部とは、互いに平行に配置され、
前記ケースは、前記第１給電部と直交する合わせ面で互いに結合される第１ケース片及び第２ケース片を含む請求項５記載の電解槽。
【請求項７】
前記第２膜保護部は、前記第２給電部に沿ってのびる請求項５又は６に記載の電解槽。
【請求項８】
前記第２膜保護部には、前記第２給電部に沿う第２溝が形成され、
前記水が、前記第２溝内を前記第２給電部の軸心方向に垂直な周方向に沿って流通可能である請求項５乃至７のいずれかに記載の電解槽。
【請求項９】
前記膜支持体は、前記第２給電部に沿ってのびる複数の第３桟と、前記第３桟に直交する複数の第４桟とを含む格子状に形成され、
前記第２膜保護部は、いずれかの前記第３桟と一体に形成されている請求項５乃至８のいずれかに記載の電解槽。
【請求項１０】
前記第４桟は、前記第２膜保護部よりも前記第２本体部の側に突出して形成され、
前記第４桟には、前記第２給電部と一直線上に位置するようにのびる第３溝が形成されている請求項９記載の電解槽。
【請求項１１】
前記隔膜は、前記第１給電体の表側及び裏側に配され、前記第２給電体は、前記第１給電体の表側及び裏側に配されている請求項１乃至１０のいずれかに記載の電解槽。
【発明の詳細な説明】
【技術分野】
【０００１】
本発明は、電解水生成装置に好適に用いることができる電解槽に関する。
【背景技術】
【０００２】
電解槽は、電解室を区画するためのケースと、電解室内に対向して配置された第１給電体及び第２給電体と、第１給電体と第２給電体との間に配される隔膜等によって構成されている。
【０００３】
特許文献１には、格子状の膜支持体によって隔膜が支持された電解槽が開示されている。
第１給電体及び第２給電体は、板状の本体部を有する。同文献において明確に開示されていないが、本体部には、給電部が電気的に接続されている。給電部は、その電気抵抗を抑制するため、通常、本体部から該第１本体部の厚さ方向に突出する軸状の金属体によって構成される。
【０００４】
しかしながら、上記構成の電解槽にあっては、第１極室及び第２極室の圧力差等によって隔膜と給電部とが当接し、隔膜に損傷を及ぼすおそれがある。
【先行技術文献】
【特許文献】
【０００５】
【特許文献１】特開２０１１−１６８８５７号公報
【発明の概要】
【発明が解決しようとする課題】
【０００６】
本発明は、以上のような実状に鑑み案出されたもので、隔膜を保護し損傷を抑制できる電解槽を提供することを主たる目的としている。
【課題を解決するための手段】
【０００７】
本発明の電解槽は、電気分解される水が供給される電解室が形成された電解槽であって、前記電解室を区画するためのケースと、前記電解室内に対向して配置された互いに極性が異なる第１給電体及び第２給電体と、前記第１給電体と前記第２給電体との間に配され、前記電解室を前記第１給電体側の第１極室と、前記第２給電体側の第２極室とに区分する隔膜と、前記隔膜を前記第１給電体側及び前記第２給電体側から挟み込んで支持する膜支持体とを備え、前記第１給電体は、板状に形成され前記隔膜に沿って配された第１本体部と、一端部が前記第１本体部と電気的に接続され他端部が前記ケースの外部に突出された第１給電部とを含み、前記第１給電部は、軸状に形成され、前記一端部から前記他端部にわたって前記隔膜に沿ってのび、前記一端部が前記第１本体部から該第１本体部の厚さ方向に突出し、前記膜支持体は、前記隔膜と前記第１給電部との間に介在する第１膜保護部を有することを特徴とする。
【０００８】
本発明に係る前記電解槽において、前記第１膜保護部は、前記第１給電部に沿ってのびることが望ましい。
【０００９】
本発明に係る前記電解槽において、前記第１膜保護部には、前記第１給電部に沿う第１溝が形成され、前記水が、前記第１溝内を前記第１給電部の軸心方向に垂直な周方向に沿って流通可能であることが望ましい。
【００１０】
本発明に係る前記電解槽において、前記膜支持体は、前記第１給電部に沿ってのびる複数の第１桟と、前記第１桟に直交する複数の第２桟とを含む格子状に形成され、前記第１膜保護部は、いずれかの前記第１桟と一体に形成されていることが望ましい。
【００１１】
本発明に係る前記電解槽において、前記第２給電体は、板状に形成され前記隔膜に沿って配された第２本体部と、一端部が前記第２本体部と電気的に接続され他端部が前記ケースの外部に突出された第２給電部とを含み、前記第２給電部は、軸状に形成され、前記一端部から前記他端部にわたって前記隔膜に沿ってのび、前記一端部が前記第２本体部から該第２本体部の厚さ方向に突出し、前記膜支持体は、前記隔膜と前記第２給電部との間に介在する第２膜保護部を有することが望ましい。
【００１２】
本発明に係る前記電解槽において、前記第１給電部と前記第２給電部とは、互いに平行に配置され、前記ケースは、前記第１給電部と直交する合わせ面で互いに結合される第１ケース片及び第２ケース片を含むことが望ましい。
【００１３】
本発明に係る前記電解槽において、前記第２膜保護部は、前記第２給電部に沿ってのびることが望ましい。
【００１４】
本発明に係る前記電解槽において、前記第２膜保護部には、前記第２給電部に沿う第２溝が形成され、前記水が、前記第２溝内を前記第２給電部の軸心方向に垂直な周方向に沿って流通可能であることが望ましい。
【００１５】
本発明に係る前記電解槽において、前記膜支持体は、前記第２給電部に沿ってのびる複数の第３桟と、前記第３桟に直交する複数の第４桟とを含む格子状に形成され、前記第２膜保護部は、いずれかの前記第３桟と一体に形成されていることが望ましい。
【００１６】
本発明に係る前記電解槽において、前記第４桟は、前記第２膜保護部よりも前記第２本体部の側に突出して形成され、前記第４桟には、前記第２給電部と一直線上に位置するようにのびる第３溝が形成されていることが望ましい。
【００１７】
本発明に係る前記電解槽において、前記隔膜は、前記第１給電体の表側及び裏側に配され、前記第２給電体は、前記第１給電体の表側及び裏側に配されていることが望ましい。
【発明の効果】
【００１８】
本発明では、第１給電体は、隔膜に沿って配された板状の第１本体部と、一端部が第１本体部と電気的に接続され、他端部がケースの外部に突出された第１給電部とを含む。第１給電部は、軸状に形成され、一端部から他端部にわたって隔膜に沿ってのびる。これにより、隔膜の厚さ方向への他端部の突出が回避され、電解槽が搭載される装置内での電解槽のレイアウトの自由度が高められる。第１給電部の一端部は、第１本体部から該第１本体部の厚さ方向に突出する。これにより、第１給電部の電気抵抗が低減され、電圧降下が抑制されうる。さらに、膜支持体は、隔膜と第１給電部との間に介在する第１膜保護部を有するので、第１極室及び第２極室の圧力差等が生じても隔膜と給電部との接触が回避され、隔膜の損傷が抑制される。
【図面の簡単な説明】
【００１９】
【図１】本発明の電解槽の一実施形態の概略構成を示す分解斜視図である。
【図２】図１の電解ユニットの構成を示す分解斜視図である。
【図３】同電解ユニットの構成を示す断面図である。
【図４】同電解ユニットの一部構成を段階的に破断して示す斜視図である。
【図５】図１の電解槽の構成を示す断面図である。
【図６】第１給電部に平行な断面で切断した電解槽の断面図である。
【図７】第１給電部に直交する断面で切断した電解槽の断面図である。
【図８】第２給電部に平行な断面で切断した電解槽の断面図である。
【図９】第２給電部に直交する断面で切断した電解槽の断面図である。
【図１０】第２ケース片に電解ユニット等が組み込まれる様子を示す斜視図である。
【発明を実施するための形態】
【００２０】
以下、本発明の実施の一形態が図面に基づき説明される。
図１は、本実施形態の電解槽１の概略構成を示している。電解槽１は、例えば、電解水生成装置に搭載され、供給された水を電気分解し電解水を生成する。陰極側で生成された電解水は、電気分解によって生じた水素ガスが溶存する電解水素水とも称され、飲用等に好適である。電解槽１は、電気分解を行なう電解ユニット２と、電解ユニット２を収容し、電解室５０を区画するケース５とを備える。電解室５０には、電解ユニット２によって電気分解される水（以下、単に水と記す）が供給される。
【００２１】
図２は、電解ユニット２の斜視図であり、図３は、電解ユニット２の構成を示す断面図である。図４は、電解ユニット２の一部構成を段階的に破断した斜視図である。電解ユニット２は、電解室５０内で互いに対向して配置された第１給電体３１及び第２給電体３２と、第１給電体３１と第２給電体３２との間に配された隔膜３３とを含む。
【００２２】
第１給電体３１は、板状に形成された第１本体部３５と、軸状に形成された第１給電部３６とを含んでいる。第１本体部３５は、隔膜３３に沿って隔膜３３と平行に配されている。軸状の第１給電部３６とは、断面が円形の円柱状及び中空な円筒状の他、断面が多角形の角柱状の形態を含む。第１給電部３６の一端部３６ａは、第１本体部３５と電気的に接続され、他端部３６ｂはケース５の外部に突出されている。一端部３６ａと第１本体部３５とは、溶接等によって接合されている。他端部３６ｂには、第１給電体３１に電解電流を供給するためのケーブル（図示せず）が接続される。第１給電部３６は、一端部３６ａから他端部３６ｂにわたって隔膜３３に沿ってのびている。これにより、隔膜３３の厚さ方向への他端部３６ｂの突出が抑制され、電解槽１が搭載される装置内での電解槽１のレイアウトの自由度が高められる。
【００２３】
第２給電体３２は、板状に形成された第２本体部３７と、軸状に形成された第２給電部３８とを含んでいる。第２本体部３７は、隔膜３３に沿って隔膜３３と平行に配されている。第２給電部３８の形態も第１給電部３６と同様である。第２給電部３８の一端部３８ａは、第２本体部３７と電気的に接続され、他端部３８ｂはケース５の外部に突出されている。一端部３８ａと第２本体部３７とは、溶接等によって接合されている。他端部３８ｂには、第２給電体３２に電解電流を供給するためのケーブル（図示せず）が接続される。
第２給電部３８は、一端部３８ａから他端部３８ｂにわたって隔膜３３に沿ってのびている。これにより、隔膜３３の厚さ方向への他端部３８ｂの突出が抑制され、電解槽１が搭載される装置内での電解槽１のレイアウトの自由度が高められる。
【００２４】
第１給電部３６の外径は、第１本体部３５の厚さよりも大きい。従って、一端部３６ａが第１本体部３５から第１本体部３５の厚さ方向に突出する。同様に、第２給電部３８の外径は、第２本体部３７の厚さよりも大きく、一端部３８ａが第２本体部３７から第２本体部３７の厚さ方向に突出する。このような第１給電部３６及び第２給電部３８によって第１給電部３６及び第２給電部３８の電気抵抗が低減され、電圧降下が抑制される。
【００２５】
第１給電体３１及び第２給電体３２の極性は、電解水生成装置の制御部（図示せず）によって制御される。第１給電体３１が陽極として制御される場合、第２給電体３２は陰極として制御される。一方、第１給電体３１が陰極として制御される場合、第２給電体３２は陽極として制御される。
【００２６】
隔膜３３は、例えば、ポリテトラフルオロエチレン（ＰＴＦＥ）親水膜からなり、電解室５０を第１給電体３１の側の第１極室５１と第２給電体３２の側の第２極室５２とに区分する。隔膜３３は、矩形状に形成されている。隔膜３３は、互いに平行かつ直線状にのびる一対の長端縁３４ａ、３４ｂと、長端縁３４ａ、３４ｂに直交する一対の短端縁３４ｃ、３４ｄとを有している。
【００２７】
隔膜３３は、膜支持体４によって支持されている。膜支持体４は、例えば、樹脂によって構成され、インサート成形等により隔膜３３と一体に形成されている。膜支持体４は、隔膜３３の裏側、すなわち第１極室５１に設けられた複数の第１桟４５と複数の第２桟４６とを含む。第１桟４５は、第１給電部３６に沿って隔膜３３の短手方向（短端縁３４ｃ、３４ｄと平行）にのびる。第２桟４６は、第１桟４５に直交し、隔膜３３の長手方向（長端縁３４ａ、３４ｂと平行）にのびる。複数の第１桟４５と複数の第２桟４６とによって、膜支持体４は隔膜３３の裏面に沿って格子状に形成されている。
【００２８】
膜支持体４は、隔膜３３の表側すなわち第２極室５２に設けられた複数の第３桟４７と複数の第４桟４８とを含む。第３桟４７は、第２給電部３８に沿って隔膜３３の短手方向（短端縁３４ｃ、３４ｄと平行）にのびる。第４桟４８は、第３桟４７に直交し、隔膜３３の長手方向（長端縁３４ａ、３４ｂと平行）にのびる。複数の第３桟４７と複数の第４桟４８とによって、膜支持体４は隔膜３３の表面に沿って格子状に形成されている。
【００２９】
第１桟４５と第３桟４７とは、隔膜３３の厚さ方向から視た平面視で重なる位置に配されている。同様に、第２桟４６と第４桟４８とは、平面視で重なる位置に配されている。第１桟４５と第３桟４７とは、隔膜３３を第１給電体３１の側及び第２給電体３２の側から挟み込んで支持する。第２桟４６と第４桟４８とは、隔膜３３を第１給電体３１の側及び第２給電体３２の側から挟み込んで支持する。すなわち、膜支持体４は、隔膜３３を第１給電体３１の側及び第２給電体３２の側から挟み込んで支持する。
【００３０】
図１に示されるように、ケース５は、樹脂によって形成されている。ケース５は、長端縁３４ａ、３４ｂ及び短端縁３４ｃ、３４ｄを有する隔膜に対応する縦長形状に形成されている。ケース５は、第１長端縁３４ａの側の第１ケース片６と、第２長端縁３４ｂの側の第２ケース片７とを含んでいる。
【００３１】
ケース５は、第１入水口６６と、第２入水口７６と、第１出水口７７と、第２出水口６７とを有している。
【００３２】
第１入水口６６は、第１極室５１に水を供給する。第１入水口６６は、第１ケース片６に形成されている。第２入水口７６は、第２極室５２に水を供給する。第２入水口７６は、第２ケース片７に形成されている。第１入水口６６と第２入水口７６とは、互いに対向するように配されている。
【００３３】
第１出水口７７は、第１極室５１から電気分解された電解水を取り出す。第１出水口７７は、第２ケース片７に形成されている。第２出水口６７は、第２極室５２から電気分解された電解水を取り出す。第２出水口６７は、第１ケース片６に形成されている。
【００３４】
第１入水口６６は、第１対角３５ａ、３５ｂの一方（すなわち角３５ａ）側に設けられている。第１出水口７７は、第１対角３５ａ、３５ｂの他方（すなわち角３５ｂ）側に設けられている。
【００３５】
第２入水口７６は、第２対角３５ｃ、３５ｄの一方（すなわち角３５ｃ）側に設けられている。第２出水口６７は、第２対角３５ｃ、３５ｄの他方（すなわち角３５ｄ）側に設けられている。
【００３６】
図５は、電解槽１の断面を示している。図１及び５に示されるように、第１ケース片６は、合わせ面６１を有し、第２ケース片７は、合わせ面７１を有している。第１ケース片６と第２ケース片７とは、隔膜３３と交差する合わせ面６１、７１で結合されている。
【００３７】
第１ケース片６と第２ケース片７とは、封止部材１０を介してねじ１１等によって結合される。合わせ面６１、７１は、互いに対応する凹凸形状に形成されていてもよい。
【００３８】
図６及び７は、第１給電部３６の近傍での電解槽１の断面図である。図６は、第１給電部３６に平行な断面であり、図７は、第１給電部３６に直交する断面である。
【００３９】
図２、６に示されるように、膜支持体４は、第１膜保護部４３を有する。第１膜保護部４３は、隔膜３３と第１給電部３６との間に介在している。これにより、第１極室５１及び第２極室５２の圧力差等が生じても隔膜３３と第１給電部３６との接触が回避され、隔膜３３の損傷が抑制される。
【００４０】
第１膜保護部４３は、第１給電部３６に沿ってのびる。これにより、第１膜保護部４３の面積を大きくすることなく、隔膜３３と第１給電部３６との接触が効果的に回避される。従って、隔膜３３が第１極室５１に露出する面積が大きくなり、第１極室５１での電気分解が促進される。
【００４１】
第１膜保護部４３は、第１給電部３６と隣接する第１桟４５と一体に形成されている。これにより、第１膜保護部４３及び第１桟４５が互いに連結し、両者の剛性を相乗的に高め合う。従って、第１桟４５及び第１膜保護部４３による隔膜３３の支持作用と保護作用が共に高められる。
【００４２】
第１膜保護部４３には、第１給電部３６に沿う第１溝４３ａが形成されている。これにより、図７において矢印Ｗ１で示されるように、水が第１溝４３ａ内を第１給電部３６の軸心方向に垂直な周方向に沿って流通可能となる。従って、隔膜３３と第１給電部３６との間に第１膜保護部４３が介在することによる水の滞留が抑制され、第１極室５１での電気分解の強度が均一化され、電解水素水の溶存水素濃度が高められる。
【００４３】
図８及び９は、第２給電部３８の近傍での電解槽１の断面図である。図８は、第２給電部３８に平行な断面であり、図９は、第２給電部３８に直交する断面である。
【００４４】
図２、８に示されるように、膜支持体４は、第２膜保護部４４を有する。第２膜保護部４４は、隔膜３３と第２給電部３８との間に介在している。これにより、第１極室５１及び第２極室５２の圧力差等が生じても隔膜３３と第２給電部３８との接触が回避され、隔膜３３の損傷が抑制される。
【００４５】
第２膜保護部４４は、第２給電部３８に沿ってのびる。これにより、第２膜保護部４４の面積を大きくすることなく、隔膜３３と第２給電部３８との接触が効果的に回避される。従って、隔膜３３が第２極室５２に露出する面積が大きくなり、第２極室５２での電気分解が促進される。
【００４６】
第２膜保護部４４は、第２給電部３８と隣接する第３桟４７と一体に形成されている。これにより、第２膜保護部４４及び第３桟４７が互いに連結し、両者の剛性を相乗的に高め合う。従って、第３桟４７及び第２膜保護部４４による隔膜３３の支持作用と保護作用が共に高められる。
【００４７】
第２膜保護部４４には、第２給電部３８に沿う第２溝４４ａが形成されている。これにより、図９において矢印Ｗ２で示されるように、水が第２溝４４ａ内を第２給電部３８の軸心方向に垂直な周方向に沿って流通可能となる。従って、隔膜３３と第２給電部３８との間に第２膜保護部４４が介在することによる水の滞留が抑制され、第２極室５２内での電気分解の強度が均一化され、電解水素水の溶存水素濃度が高められる。
【００４８】
第４桟４８は、第２膜保護部４４よりも第２本体部３７の側に突出して形成されている。
各第４桟４８には、第２給電部３８に沿う方向に第３溝４８ａが形成されている。第３溝４８ａは、第２給電部３８と一直線上に位置するようにのびる。
【００４９】
図１０は、第２ケース片７に電解ユニット２等が組み込まれる様子を示している。本実施形態では、まず、膜支持体４が第２ケース片７に装填され、その後、第２給電体３２が第２ケース片７の内壁と膜支持体４との間に装填される。なお、膜支持体４には、予め第１給電体３１が内蔵されている。ここで各第４桟４８には、上記第３溝４８ａが形成されているので、第２給電部３８と各第４桟４８とが干渉することなく、第２給電体３２が第２ケース片７に装填される。このとき、第３溝４８ａは、第２給電部３８を案内するガイド手段として機能するため、第２給電体３２が円滑に装填される。
【００５０】
図２乃至５に示されるように、本実施形態では、電解ユニット２は、一対の隔膜３３、３３Ａ及び一対の第２給電体３２、３２Ａを有している。
【００５１】
隔膜３３は、膜支持体４０によって支持され、第１給電体３１の表側（図１乃至５において上側）に配されている。隔膜３３Ａは、膜支持体４０Ａによって支持され、第１給電体３１の裏側（図１乃至５において下側）に配されている。膜支持体４０と膜支持体４０Ａとが固着されて膜支持体４を構成する。
【００５２】
隔膜３３Ａの構成及び支持構造は、隔膜３３と同様である。第２給電体３２は、第１給電体３１の表側に配され、第２給電体３２Ａは、第１給電体３１の裏側に配されている。第２給電体３２Ａの構成は、第２給電体３２と同様である。例えば、第２給電体３２Ａは、板状に形成された第２本体部３７Ａと、軸状に形成された第２給電部３８Ａとを含んでいる。隔膜３３Ａによって、第１給電体３１の側の第１極室５１Ａと第２給電体３２の側の第２極室５２Ａとが区画される。
【００５３】
第１極室５１と第１極室５１Ａとは、第１本体部３５の端縁の外側で互いに連通している。第１入水口６６は、第１極室５１Ａに水を供給する。第１出水口７７は、第１極室５１Ａから電気分解された電解水を取り出す。
【００５４】
一方、第２極室５２と第２極室５２Ａとは、膜支持体４の外側で互いに連通している。第２入水口７６は、第２極室５２Ａに水を供給する。第２出水口６７は、第２極室５２Ａから電気分解された電解水を取り出す。
【００５５】
膜支持体４０Ａは、第１膜保護部４３Ａ、第２膜保護部４４Ａ、第１桟４５Ａ、第２桟４６Ａ、第３桟４７Ａ及び第４桟４８Ａを有する。第１膜保護部４３Ａ、第２膜保護部４４Ａ、第１桟４５Ａ、第２桟４６Ａ、第３桟４７Ａ及び第４桟４８Ａの構成は、膜支持体４０の第１膜保護部４３、第２膜保護部４４、第１桟４５、第２桟４６、第３桟４７及び第４桟４８の構成と同等である。
【００５６】
以上、本実施形態の電解槽１が詳細に説明されたが、本発明は上記の具体的な実施形態に限定されることなく種々の態様に変更して実施される。すなわち、本発明の電解槽１は、少なくとも、電解室５０を区画するためのケース５と、電解室５０内に対向して配置された互いに極性が異なる第１給電体３１及び第２給電体３２と、第１給電体３１と第２給電体３２との間に配され、電解室５０を第１給電体３１側の第１極室５１と、第２給電体３２側の第２極室５２とに区分する隔膜３３と、隔膜３３を第１給電体３１側及び第２給電体３２側から挟み込んで支持する膜支持体４とを備え、第１給電体３１は、板状に形成され隔膜３３に沿って配された第１本体部３５と、一端部３６ａが第１本体部３５と電気的に接続され他端部３６ｂがケース５の外部に突出された第１給電部３６とを含み、第１給電部３６は、軸状に形成され、一端部３６ａから他端部３６ｂにわたって隔膜３３に沿ってのび、一端部３６ａが第１本体部３５から該第１本体部３５の厚さ方向に突出し、膜支持体４は、隔膜３３と第１給電部３６との間に介在する第１膜保護部４３を有していればよい。
【符号の説明】
【００５７】
１      ：電解槽
２      ：電解ユニット
４      ：膜支持体
５      ：ケース
６      ：第１ケース片
７      ：第２ケース片
３１    ：第１給電体
３２    ：第２給電体
３３    ：隔膜
３５    ：第１本体部
３６    ：第１給電部
３６ａ  ：一端部
３６ｂ  ：他端部
３７    ：第２本体部
３８    ：第２給電部
３８ａ  ：一端部
３８ｂ  ：他端部
４３    ：第１膜保護部
４３ａ  ：第１溝
４４    ：第２膜保護部
４４ａ  ：第２溝
４５    ：第１桟
４６    ：第２桟
４７    ：第３桟
４８    ：第４桟
４８ａ  ：第３溝
５０    ：電解室
５１    ：第１極室
５２    ：第２極室
６１    ：合わせ面
７１    ：合わせ面
Ｗ１    ：矢印
Ｗ２    ：矢印
【図１】
2018122213.tif 000003
【図２】
2018122213.tif 000004
【図３】
2018122213.tif 000005
【図４】
2018122213.tif 000006
【図５】
2018122213.tif 000007
【図６】
2018122213.tif 000008
【図７】
2018122213.tif 000009
【図８】
2018122213.tif 000010
【図９】
2018122213.tif 000011
【図１０】
2018122213.tif 000012